【手続補正書】
【提出日】平成18年12月6日(2006.12.6)
【手続補正１】
【補正対象書類名】特許請求の範囲
【補正対象項目名】全文
【補正方法】変更
【補正の内容】
【特許請求の範囲】
【請求項１】
現像剤担持体と、前記現像剤担持体上の現像剤を一定量に規制する現像剤量規制手段と、前記現像剤担持体が被現像体を押圧しながら前記被現像体を前記現像剤で現像する現像装置において、
前記現像剤担持体の表面が弾性体であり、前記現像剤は平均円形度０．９６５以上を有する一成分磁性トナーであり、前記現像剤は前記現像剤担持体の内部に設けられた固定の磁場発生手段によって前記現像剤担持体に引き寄せられ、現像に臨み量規制された前記現像剤の単位面積当たりの現像剤量が５〜１４ｇ／ｍ２であるとともに、比電荷が１０〜５０μＣ／ｇであることを特徴とする現像装置。
【請求項２】
前記現像剤担持体に量規制されて担持された現像剤量が５〜１４ｇ／ｍ２であるとともに、前記比電荷が１０〜４５μＣ／ｇであることを特徴とする請求項１に記載の現像装置。
【請求項３】
前記現像剤の平均円形度が０．９７０以上であることを特徴とする請求項１または２に記載の現像装置。
【請求項４】
Ｘ線光電子分光分析により測定される前記現像剤の表面に存在する炭素元素の含有量（Ａ）に対する鉄元素の含有量（Ｂ）の比（Ｂ／Ａ）が、０．００１以下であることを特徴とする請求項１乃至３の何れか１つに記載の現像装置。
【請求項５】
直流バイアスを印加する電圧印加手段を具備し、前記直流バイアスを前記現像剤担持体に印加して、前記現像剤で前記被現像体を現像することを特徴とする請求項１乃至４の何れか１つに記載の現像装置。
【請求項６】
画像形成装置に着脱可能であり、少なくとも請求項１乃至５の何れか１つに記載の現像装置を含むことを特徴とするプロセスカートリッジ。
【請求項７】
画像形成装置に着脱可能であり、少なくとも、像担持体と、前記像担持体を帯電する帯電手段と、前記像担持体に形成された静電潜像を現像剤で現像する現像装置と、を有するプロセスカートリッジにおいて、前記現像装置は請求項１乃至５の何れか１つに記載の現像装置であることを特徴とするプロセスカートリッジ。
【請求項８】
請求項６または７に記載のプロセスカートリッジにおいて、前記像担持体に担持された前記現像剤を被転写材に転写する転写工程を有し、前記転写工程後に前記像担持体に残留した転写残現像剤を前記現像装置にて回収することを特徴とするプロセスカートリッジ。
【請求項９】
請求項６乃至８の何れか１つに記載のプロセスカートリッジを取り外し可能に装備することを特徴とする画像形成装置。
【請求項１０】
少なくとも、像担持体と、前記像担持体を帯電する帯電装置と、前記像担持体に形成された静電潜像を現像剤で現像する現像装置と、前記像担持体に担持された前記現像剤を被転写材に転写する転写手段と、を有する画像形成装置において、前記現像装置は請求項１乃至５の何れか１つに記載の現像装置であることを特徴とする画像形成装置。
【請求項１１】
少なくとも、像担持体と、前記像担持体を帯電する帯電装置と、前記像担持体に形成された静電潜像を現像剤で現像する現像装置と、前記像担持体に担持された前記現像剤を被転写材に転写する転写手段と、を有する画像形成装置において、前記現像装置は請求項１乃至４の何れか１つに記載の現像装置であるとともに、前記像担持体に残留した転写残現像剤を前記現像装置にて回収することを特徴とする画像形成装置。
【請求項１２】
現像剤担持体と、前記現像剤担持体上に現像剤を一定量に規制する現像剤量規制手段と、前記現像剤担持体が被現像体を押圧しながら前記被現像体を前記現像剤で現像する現像装置において、
前記現像剤担持体の表面が弾性体であり、前記現像剤は平均円形度０．９６５未満の一成分磁性トナーであり、前記現像剤は前記現像剤担持体の内部に設けられた固定の磁場発生手段によって前記現像剤担持体に引き寄せられ、現像に臨み量規制された前記現像剤の単位面積当たりの現像剤量が８〜１５ｇ／ｍ２であるとともに、比電荷が１３〜２３μＣ／ｇであることを特徴とする現像装置。
【請求項１３】
直流バイアスを印加する電圧印加手段を具備し、前記直流バイアスを前記現像剤担持体に印加して、前記現像剤で前記被現像体を現像することを特徴とする請求項１２に記載の現像装置。
【請求項１４】
画像形成装置に着脱可能であり、少なくとも請求項１２または１３に記載の現像装置を含むことを特徴とするプロセスカートリッジ。
【請求項１５】
画像形成装置に着脱可能であり、少なくとも、像担持体と、前記像担持体を帯電する帯電装置と、前記像担持体に形成された静電潜像を現像剤で現像する現像装置と、を有するプロセスカートリッジにおいて、前記現像装置は請求項１２または１３に記載の現像装置であることを特徴とするプロセスカートリッジ。
【請求項１６】
画像形成装置に着脱可能であり、少なくとも、像担持体と、前記像担持体を帯電する帯電装置と、前記像担持体に形成された静電潜像を現像剤で現像する現像装置と、を有するプロセスカートリッジにおいて、前記現像装置は請求項１２または１３に記載の現像装置であるとともに、前記像担持体に残留した転写残現像剤を前記現像装置にて回収することを特徴とするプロセスカートリッジ。
【請求項１７】
請求項１４乃至１６の何れか１つに記載のプロセスカートリッジを取り外し可能に装備することを特徴とする画像形成装置。
【請求項１８】
少なくとも、像担持体と、前記像担持体を帯電する帯電装置と、前記像担持体に形成された静電潜像を現像剤で現像する現像装置と、前記像担持体の前記現像剤を被転写材に転写する転写手段と、を有する画像形成装置において、前記現像装置は請求項１２または１３に記載の現像装置であることを特徴とする画像形成装置。
【請求項１９】
少なくとも、像担持体と、前記像担持体を帯電する帯電装置と、前記像担持体に形成された静電潜像を現像剤で現像する現像装置と、前記像担持体の前記現像剤を被転写材に転写する転写手段と、を有する画像形成装置において、前記現像装置は請求項１２または１３に記載の現像装置であるとともに、前記像担持体に残留した転写残現像剤を前記現像装置にて回収することを特徴とする画像形成装置。
【手続補正２】
【補正対象書類名】明細書
【補正対象項目名】００１１
【補正方法】変更
【補正の内容】
【００１１】
更に、従来の接触現像装置においては、ベタ白中に画像不良を生じることがある。この不良はスリーブ周期で発生し、数ミリ巾の大きな画像不良となる。原因としては、現像ローラと感光ドラムの接触により間に挟まれた現像剤が現像ローラに強固に静電付着する結果生じると予想される。
【手続補正３】
【補正対象書類名】明細書
【補正対象項目名】００１５
【補正方法】変更
【補正の内容】
【００１５】
本発明（１）：現像剤担持体と、前記現像剤担持体上の現像剤を一定量に規制する現像剤量規制手段と、前記現像剤担持体が被現像体を押圧しながら前記被現像体を前記現像剤で現像する現像装置において、前記現像剤担持体の表面が弾性体であり、前記現像剤は平均円形度０．９６５以上を有する一成分磁性トナーであり、前記現像剤は前記現像剤担持体の内部に設けられた固定の磁場発生手段によって前記現像剤担持体に引き寄せられ、現像に臨み量規制された前記現像剤の単位面積当たりの現像剤量が５〜１４ｇ／ｍ２であるとともに、比電荷が１０〜５０μＣ／ｇであることを特徴とする現像装置。
【手続補正４】
【補正対象書類名】明細書
【補正対象項目名】００１９
【補正方法】変更
【補正の内容】
【００１９】
本発明（５）：直流バイアスを印加する電圧印加手段を具備し、前記直流バイアスを前記現像剤担持体に印加して、前記現像剤で前記被現像体を現像することを特徴とする（１）乃至（４）の何れか１つに記載の現像装置。
本発明（６）：画像形成装置に着脱可能であり、少なくとも（１）乃至（５）の何れか１つに記載の現像装置を含むことを特徴とするプロセスカートリッジ。
【手続補正５】
【補正対象書類名】明細書
【補正対象項目名】００２０
【補正方法】変更
【補正の内容】
【００２０】
本発明（７）：画像形成装置に着脱可能であり、少なくとも、像担持体と、前記像担持体を帯電する帯電手段と、前記像担持体に形成された静電潜像を現像剤で現像する現像装置と、を有するプロセスカートリッジにおいて、前記現像装置は（１）乃至（５）の何れか１つに記載の現像装置であることを特徴とするプロセスカートリッジ。
【手続補正６】
【補正対象書類名】明細書
【補正対象項目名】００２１
【補正方法】変更
【補正の内容】
【００２１】
本発明（８）：（６）または（７）に記載のプロセスカートリッジにおいて、前記像担持体に担持された前記現像剤を被転写材に転写する転写工程を有し、前記転写工程後に前記像担持体に残留した転写残現像剤を前記現像装置にて回収することを特徴とするプロセスカートリッジ。
【手続補正７】
【補正対象書類名】明細書
【補正対象項目名】００２３
【補正方法】変更
【補正の内容】
【００２３】
本発明（１０）：少なくとも、像担持体と、前記像担持体を帯電する帯電装置と、前記像担持体に形成された静電潜像を現像剤で現像する現像装置と、前記像担持体に担持された前記現像剤を被転写材に転写する転写手段と、を有する画像形成装置において、前記現像装置は（１）乃至（５）の何れか１つに記載の現像装置であることを特徴とする画像形成装置。
【手続補正８】
【補正対象書類名】明細書
【補正対象項目名】００２４
【補正方法】変更
【補正の内容】
【００２４】
本発明（１１）：少なくとも、像担持体と、前記像担持体を帯電する帯電装置と、前記像担持体に形成された静電潜像を現像剤で現像する現像装置と、前記像担持体に担持された前記現像剤を被転写材に転写する転写手段と、を有する画像形成装置において、前記現像装置は（１）乃至（４）の何れか１つに記載の現像装置であるとともに、前記像担持体に残留した転写残現像剤を前記現像装置にて回収することを特徴とする画像形成装置。
【手続補正９】
【補正対象書類名】明細書
【補正対象項目名】００２５
【補正方法】変更
【補正の内容】
【００２５】
本発明（１２）：現像剤担持体と、前記現像剤担持体上に現像剤を一定量に規制する現像剤量規制手段と、前記現像剤担持体が被現像体を押圧しながら前記被現像体を前記現像剤で現像する現像装置において、前記現像剤担持体の表面が弾性体であり、前記現像剤は平均円形度０．９６５未満の一成分磁性トナーであり、前記現像剤は前記現像剤担持体の内部に設けられた固定の磁場発生手段によって前記現像剤担持体に引き寄せられ、現像に臨み量規制された前記現像剤の単位面積当たりの現像剤量が８〜１５ｇ／ｍ２であるとともに、比電荷が１３〜２３μＣ／ｇであることを特徴とする現像装置。
【手続補正１０】
【補正対象書類名】明細書
【補正対象項目名】００２６
【補正方法】変更
【補正の内容】
【００２６】
本発明（１３）：直流バイアスを印加する電圧印加手段を具備し、前記直流バイアスを前記現像剤担持体に印加して、前記現像剤で前記被現像体を現像することを特徴とする（１２）に記載の現像装置。
【手続補正１１】
【補正対象書類名】明細書
【補正対象項目名】００２８
【補正方法】変更
【補正の内容】
【００２８】
本発明（１５）：画像形成装置に着脱可能であり、少なくとも、像担持体と、前記像担持体を帯電する帯電装置と、前記像担持体に形成された静電潜像を現像剤で現像する現像装置と、を有するプロセスカートリッジにおいて、前記現像装置は（１２）または（１３）に記載の現像装置であることを特徴とするプロセスカートリッジ。
【手続補正１２】
【補正対象書類名】明細書
【補正対象項目名】００２９
【補正方法】変更
【補正の内容】
【００２９】
本発明（１６）：画像形成装置に着脱可能であり、少なくとも、像担持体と、前記像担持体を帯電する帯電装置と、前記像担持体に形成された静電潜像を現像剤で現像する現像装置と、を有するプロセスカートリッジにおいて、前記現像装置は（１２）または（１３）に記載の現像装置であるとともに、前記像担持体に残留した転写残現像剤を前記現像装置にて回収することを特徴とするプロセスカートリッジ。
【手続補正１３】
【補正対象書類名】明細書
【補正対象項目名】００３０
【補正方法】変更
【補正の内容】
【００３０】
本発明（１７）：（１４）乃至（１６）の何れか１つに記載のプロセスカートリッジを取り外し可能に装備することを特徴とする画像形成装置。
【手続補正１４】
【補正対象書類名】明細書
【補正対象項目名】００３１
【補正方法】変更
【補正の内容】
【００３１】
本発明（１８）：少なくとも、像担持体と、前記像担持体を帯電する帯電装置と、前記像担持体に形成された静電潜像を現像剤で現像する現像装置と、前記像担持体の前記現像剤を被転写材に転写する転写手段と、を有する画像形成装置において、前記現像装置は（１２）または（１３）に記載の現像装置であることを特徴とする画像形成装置。
【手続補正１５】
【補正対象書類名】明細書
【補正対象項目名】００３２
【補正方法】変更
【補正の内容】
【００３２】
本発明（１９）：少なくとも、像担持体と、前記像担持体を帯電する帯電装置と、前記像担持体に形成された静電潜像を現像剤で現像する現像装置と、前記像担持体の前記現像剤を被転写材に転写する転写手段と、を有する画像形成装置において、前記現像装置は（１２）または（１３）に記載の現像装置であるとともに、前記像担持体に残留した転写残現像剤を前記現像装置にて回収することを特徴とする画像形成装置。